(57)【要約】【課題】使用者Ｍが手摺り８を掴んで床面１の上段２及び下段３間の段差部４を上り下りする際に、安定した姿勢で上り下りできるようにする。【解決手段】手摺り８は、下段側端部１３ａが床面１における上段２の段差側端部２ａに対応する位置よりも所定距離Ｘだけ下段３側にずれて位置するように、上段２から下段３に亘る範囲の床面１に対応して水平又は略水平に取り付けられる上側水平部１３と、この上側水平部１３の下段側端部１３ａに連続し、下段３の床面１に向かって下がるように傾斜して取り付けられる傾斜部１４とを有するものとし、使用者Ｍが手摺り８の上側水平部１３を掴んで床面１の段差部４を上り下りできるようにする。【選択図】図１
2010196329.tif 000002
【特許請求の範囲】
【請求項１】
上段及び下段が段差部を介して連続する床面の上方に、手摺りが上段及び下段間の床面に対応して連続するように取り付けられる取付構造であって、
上記手摺りは、下段側端部が上記床面における上段の段差側端部に対応する位置よりも所定距離だけ下段側にずれて位置するように、上段及び該上段から下段に向かう範囲の床面に対応して水平又は略水平に取り付けられる水平部と、
上記水平部の下段側端部に連続し、下段の床面に向かって下がるように傾斜して取り付けられる傾斜部とを有していることを特徴とする手摺りの取付構造。
【請求項２】
請求項１において、
手摺りの水平部の下段側端部が、床面における上段の段差側端部に対応する位置から下段側にずれた距離は、上段の段差側端部上に下段側に向かって立った人が手を下段側に伸ばして手摺りを掴んだときに該手が水平部の下段側端部を掴み得るように、１０ｃｍ以上でかつ２０ｃｍ以下であることを特徴とする手摺りの取付構造。
【請求項３】
請求項１又は２において、
床面は玄関の床面であることを特徴とする手摺りの取付構造。
【発明の詳細な説明】
【技術分野】
【０００１】
本発明は、玄関等に取り付けられる手摺りの取付構造に関する。
【背景技術】
【０００２】
従来、床面に段差がある箇所に設置される手摺りの取付構造として、図８に示すように、玄関ホール２′と、この玄関ホール２′に段差部４を介して連続する土間３′とが形成された玄関の床面１′において、その玄関ホール２′又は土間３′の床面１′に対し平行に直棒状の手摺り８′を配設したものが知られている。図８中、２２は手摺り８′の両端部に取り付けられたエンドキャップ、２３は手摺り８′を壁面６に取付固定するためのブラケットである。
【０００３】
また、この他、例えば特許文献１に示されるように、廊下から玄関ホールにかけて床面に対して平行に配設した手摺りと、土間及び玄関ホールの間の段差に合わせて傾斜して配設した手摺りとをそれぞれ支柱上端に取り付け、両手摺りを組み合わせて連続させたものも知られている。
【特許文献１】特開２００７−１３２０６５号公報
【発明の開示】
【発明が解決しようとする課題】
【０００４】
しかしながら、このような従来の手摺り取付構造では、それぞれ次のような欠点があった。
【０００５】
すなわち、直棒状の手摺り８′を玄関ホール２′又は土間３′の床面１′に対して平行に配設した図８のものでは、手摺り８′を上段の玄関ホール２′において使い易い高さ位置に設置すると、下段側の土間３′において手摺り８′の高さ位置が高くなり過ぎて使用し難くなる。逆に、手摺り８′を下段側の土間３′において使い易い高さ位置に設置すると、玄関ホール２′において手摺り８′の高さ位置が低くなり過ぎてしまい、やはり使用し難くなる。
【０００６】
一方、使用者が手摺りに手を添わせながら前方に進む場合、通常、現在位置よりも前方の手摺りを掴んだ後に体を前に進める動作が行われる。そのため、上記のように、廊下から玄関ホールにかけて床面に対して平行に配設した手摺りと、土間及び玄関ホール間の段差に合わせて傾斜して配設した手摺りとを組み合わせて連続させた引用文献１のものにおいては、特に段差部を降りる際に、手摺りの傾斜した部分を掴む（握る）ことになり、姿勢（体勢）が若干前屈みになることで不安を覚えることになる。
【０００７】
本発明は斯かる点に鑑みてなされたものであり、その目的は、手摺りの取付構造を工夫することで、使用者が手摺りを掴んで段差部を上り下りする際に、安定した姿勢で上り下りできるようにすることにある。
【課題を解決するための手段】
【０００８】
上記の目的の達成のため、この発明では、手摺りの水平部分を上段の下段側端部（段差側端部）の位置よりも下段側に延ばして配置し、その水平部分で掴んで段差部を上り下りできるようにした。
【０００９】
具体的には、第１の発明に係る手摺りの取付構造は、上段及び下段が段差部を介して連続する床面の上方に、手摺りが上段及び下段間の床面に対応して連続するように取り付けられる取付構造であって、上記手摺りは、下段側端部が上記床面における上段の段差側端部に対応する位置（段差側端部の真上位置）よりも所定距離だけ下段側にずれて位置するように、上段及び該上段から下段に向かう範囲の床面に対応して水平又は略水平に取り付けられる水平部と、この水平部の下段側端部に連続し、下段の床面に向かって下がるように傾斜して取り付けられる傾斜部とを有していることを特徴とする。
【００１０】
この第１の発明では、手摺りが床面における上段に対応する水平部を有し、この水平部の下段側端部が、上段の段差側端部に対応する位置よりも所定距離だけ下段側にずれて位置しているので、その水平部は上段の範囲よりも下段側に所定距離だけ延びていることになる。そのため、使用者が手摺りを掴んで（握って）床面の上段から下段に段差部を下りる際に、下段側に向かって手摺りの水平部を掴んで状態で下りることができるようになり、安定した姿勢（体勢）で段差部を下りることができる。
【００１１】
また、逆に床面を下段から上段へ段差部を上がる際も、水平部を掴んだ状態で上がることができるため、傾斜した部分を握る必要がある従来の構造よりも安定した姿勢で上がることができる。
【００１２】
さらに、手摺りは、水平部の下段側端部に連続しかつ下段の床面に向かって下がる傾斜部を有するため、その傾斜部で手摺りに手を摺らせながら段差部の上り下りの動作ができ、一層安全に手摺りを使用することができる。
【００１３】
第２の発明は、第１の発明において、手摺りの水平部の下段側端部が、床面における上段の段差側端部に対応する位置から下段側にずれた距離は、その上段の段差側端部上に下段側に向かって立った人が手を下段側に伸ばして手摺りを掴んだときに該手が水平部の下段側端部を掴み得るように、１０ｃｍ以上でかつ２０ｃｍ以下（１０〜２０ｃｍ）であることを特徴とする。
【００１４】
すなわち、成人の使用者が床面を上段から下段に下りようとする際に、その爪先（つま先）が上段における段差側端部の位置になるように立ったとき、その手を前に差し出して手摺りを掴む位置は上段の段差側端部の位置よりも５〜１１ｃｍ程度下段側となる。しかし、実際に下段に下りるために手摺りで手を摺りながら使用する場合に、使用者の姿勢が若干前屈みになり、使用者の年齢や体格等にも個人差がある。このことから、第２の発明では、水平部の下段側端部の位置を１０〜２０ｃｍとすることで、使用者に個人差や姿勢変化があっても、それらに対応して安定して床面の段差を上り下りすることができる。
【００１５】
第３の発明は、第１又は２の発明において、床面は玄関の床面であることを特徴とする。
【００１６】
この第３の発明では、本発明の効果が有効に発揮される最適な床面が得られる。
【発明の効果】
【００１７】
以上説明のように、第１の発明によると、上段及び下段が段差部を介して連続する床面上方に、手摺りを上段及び下段間の床面に対応して連続するように取り付ける場合において、手摺りを、略上段の床面に対応して取り付けられる水平部と、この水平部に連続し、下段の床面に向かって下がるように傾斜して取り付けられる傾斜部とを有するものとし、その水平部の傾斜部側たる下段側の端部を床面における上段の段差側端部に対応する位置よりも所定距離だけ下段側にずらして配置したことにより、使用者が手摺りを掴んで床面の上段から下段に段差部を下りる際に、下段側に向かって手摺りの水平部を掴んだ状態の安定した姿勢で段差を下りることができるとともに、逆に床面を下段から上段へ段差部を上がる際も、水平部を掴んだ状態の安定した姿勢で上がることができ、さらには、手摺りの傾斜部で手摺りに手を摺らせながら段差の上り下りの動作ができ、一層安全に手摺りを使用することができる。
【００１８】
第２の発明によると、水平部の下段側端部が、床面における上段の段差側端部に対応する位置から下段側にずれた距離を、上段の段差側端部上に下段側に向かって立った人が手を下段側に伸ばして手摺りを掴んだときに該手が水平部の下段側端部を掴むよう１０〜２０ｃｍとしたことにより、使用者に個人差や下りるときに姿勢変化があっても、それらに対応して安定して床面の段差を上り下りすることができる。
【００１９】
第３の発明によると、床面を玄関の床面としたことにより、本発明の効果が有効に発揮される最適な床面が得られる。
【発明を実施するための最良の形態】
【００２０】
以下、本発明の最良の実施形態を図面に基づいて詳細に説明する。以下の好ましい実施形態の説明は、本質的に例示に過ぎず、本発明、その適用物或いはその用途を制限することを意図するものでは全くない。
【００２１】
（実施形態１）
図１は本発明の実施形態１に係る手摺りの取付構造を示し、１は例えば玄関における床面であって、この床面１には水平な上段２と、この上段２よりも所定の高さｈ（例えばｈ＝１８ｃｍだけ低い水平な下段３とが形成され、これら上段２及び下段３は上下鉛直面からなる１つの段差部４を介して連続している。
【００２２】
６は上記床面１側方の壁面で、この壁面６には床面１を歩行移動する際の支えとなる手摺り８が上段２及び下段３間の床面１に対応して連続するように取り付けられている。
【００２３】
上記手摺り８は第１〜第３の３つの手摺り部材９〜１１からなり、その何れも、通常一般の手摺りによく用いられている例えば直径３５ｍｍ程度の断面円形の棒状のものである（図２（ｃ）参照）。第１及び第３手摺り部材９，１１は真っ直ぐに延びた直棒状のものであるが、第２手摺り部材１０は略Ｓ字状に湾曲している。
【００２４】
すなわち、図２に拡大して示すように、第２手摺り部材１０の中間部には、互いに逆方向に同じ曲率半径で曲がる上側及び下側の湾曲部１０ｂ，１０ｃが連続して形成されている。そして、上側湾曲部１０ｂには上側直線部１０ａが、また下側湾曲部１０ｃには下側直線部１０ｄがそれぞれ連続して形成され、これら直線部１０ａ，１０ｄは第２手摺り部材１０の両端部に位置して互いに平行に直線状に延びている。尚、この第２手摺り部材１０の２つの湾曲部１０ｂ，１０ｃの曲率半径によって後述する傾斜部１４の傾斜角度θが決まるようになっており、その傾斜角度θは上段２及び下段３間の段差部４の高さｈに合わせて設定される。例えば、図２に示す第２手摺り部材１０は段差部４の高さｈが小さい床面１に対応するものであるのに対し、段差部４の高さｈが大きい場合には、図４に示すように、湾曲部１０ｂ，１０ｃの曲率半径が小さく、傾斜部１４の傾斜角度θが大きい（急な角度の傾斜部１４を有する）ものが用いられる。このことで、段差部４の高さｈに応じて容易に調整することができる。
【００２５】
各手摺り部材９〜１１の材料としては、例えば集成材、合板、木質繊維板（ＩＢ、ＭＤＦ等）、木削片板（パーティクルボード、ストランドボード、ＯＳＢ等）、無垢材、その他の木質材料、プラスチック等の合成樹脂、アルミニウム等の金属、或いはこれらを任意に組み合わせた複合材料等を用いることができる。
【００２６】
そして、第１及び第３手摺り部材９，１１間に第２手摺り部材１０を各々の端部が突き合わされるように直列に配置し、第１手摺り部材９の一端部と第２手摺り部材１０の一端部とを連結金具２１により、また第２手摺り部材１０の他端部と第３手摺り部材１１の一端部とを連結金具２１によりそれぞれ接続することで、手摺り８が構成されている。
【００２７】
また、手摺り８全体の両端部に相当する、第１及び第３手摺り部材９，１１の各他端部にはそれぞれエンドキャップ２２，２２が取り付けられている。
【００２８】
さらに、手摺り８は、各手摺り部材９〜１１の端部の位置で複数のブラケット２３，２３，…により下側から支持されて壁面６に取り付けられている。尚、これに限らず、例えば床面１上に複数の支柱を立設してその上端部間に手摺り８を取り付けるようにしてもよい。
【００２９】
上記連結金具２１、エンドキャップ２２、ブラケット２３は一般的で公知のものであり、例えば金属製やプラスチック製のものが用いられる。
【００３０】
上記第１〜第３手摺り部材９〜１１が接続されて構成された手摺り８は、上側水平部１３と傾斜部１４と下側水平部１５とに分けられている。上側水平部１３は、第１手摺り部材９の全体と、この第１手摺り部材９の一端部に接続された第２手摺り部材１０の上側直線部１０ａとからなり、この上側水平部１３は、その下段側端部１３ａで傾斜部１４に連続している。
【００３１】
また、傾斜部１４は第２手摺り部材１０の中間部、つまり上側湾曲部１０ｂ及び下側湾曲部１０ｃからなるもので、その上段側端部が上記上側水平部１３の下段側端部１３ａ（第２手摺り部材１０における上側直線部１０ａの端部）に連続している。
【００３２】
さらに、下側水平部１５は、上記上側水平部１３と同様に、第２手摺り部材１０の下側直線部１０ｄと第３手摺り部材１１とからなり、その上段側端部が上記傾斜部１４の下段側端部に連続している。
【００３３】
そして、上記上側水平部１３は、その下段側端部１３ａ、つまり第２手摺り部材１０の上側直線部１０ａと上側湾曲部１０ｂとの境界位置が、上記床面１における上段２の下段３側にある段差側端部２ａ（段差部４）に対応する位置（段差側端部２ａの真上位置）よりも所定距離Ｘだけ下段３側にずれて位置するように、上段２から下段３に亘る範囲の床面１に対応して水平又は略水平に取り付けられている。すなわち、第１手摺り部材９と第２手摺り部材１０の上側直線部１０ａとからなる上側水平部１３が、床面１の上段２及び下段３間の段差部４の、上段２側から下段３側に亘り設けられる位置となるように、手摺り８が取り付けられている。この上側水平部１３の下段側端部１３ａが、床面１における上段２の段差側端部２ａに対応する位置（段差側端部２ａの真上位置）から下段３側にずれた距離Ｘは、図３（ａ）に示すように、上段２の段差側端部２ａ上に下段３側に向かって立った人（使用者Ｍ）が手Ｍ１を下段３側に伸ばして手摺り８を掴んだときに該手Ｍ１が上側水平部１３の下段側端部１３ａを掴み得るように、１０ｃｍ以上でかつ２０ｃｍ以下（Ｘ＝１０〜２０ｃｍ）とされている。
【００３４】
また、傾斜部１４は、下段３の床面１に向かって下がるように床面１（上段２及び下段３）に対し所定の傾斜角度θで傾斜して取り付けられている。さらに、下側水平部１５は、下段３の床面１に対応して水平又は略水平に取り付けられている。
【００３５】
また、上記手摺り８の上側水平部１３の上段２から高さと、下側水平部１５の下段３から高さとは同じか略同じとされている。
【００３６】
したがって、この実施形態の手摺りの取付構造においては、手摺り８における上側水平部１３の下段側端部１３ａが、床面１における上段２の段差側端部２ａに対応する位置（段差側端部２ａの真上位置）よりも所定距離Ｘだけ下段３側にずれて位置しており、その上側水平部１３は、床面１における上段２の範囲よりも下段３側に所定距離Ｘだけ延びていることになる。そのため、図３（ａ）に示すように、使用者Ｍが手摺り８を掴んで床面１の上段２から下段３に段差部４を下りる際に、下段３側に向かって手摺り８の上側水平部１３を掴んだ状態で下りることができるようになり、安定した姿勢で段差部４を下りることができる。
【００３７】
そして、このように成人の使用者Ｍが床面１を上段２から下段３に下りようとする際に、その爪先（つま先）が上段２における段差側端部２ａの位置になるように立った状態では、その手Ｍ１を前に差し出して手摺り８を掴む位置は上段２の段差側端部２ａの位置よりも５〜１１ｃｍ程度だけ下段３側となるが、実際に下段３に下りるために手摺り８で手Ｍ１を摺りながら使用する場合には、使用者Ｍの姿勢が若干前屈みになり、使用者Ｍの年齢や体格等にも個人差がある。この実施形態では、手摺り８の上側水平部１３の下段側端部１３ａが下段３側にずれた距離Ｘは、上段２の段差側端部２ａ上に下段３側に向かって立った人が手Ｍ１を下段３側に伸ばして手摺り８を掴んだときに該手Ｍ１が上側水平部１３の下段側端部１３ａを掴み得るように、１０〜２０ｃｍとされているため、使用者Ｍが手摺り８を掴んで床面１の上段２から下段３に段差部４を下りる際に、使用者Ｍに個人差や姿勢変化があっても、下段３側に向かって手摺り８の上側水平部１３を掴んだ状態で下りることができるようになり、安定した姿勢で段差部４を下りることができる。
【００３８】
また、図３（ｂ）に示すように、逆に床面１を下段３から上段２へ段差部４を上がる際も、上記上側水平部１３を掴んだ状態で上がることができ、傾斜した部分を握る必要のある従来の構造よりも安定した姿勢で上がることができる。
【００３９】
さらに、手摺り８は、上側水平部１３の下段側端部１３ａに連続しかつ下段３の床面１に向かって下がる傾斜部１４を有するため、その傾斜部１４で手摺り８に手Ｍ１を摺らせながら段差部４の上り下りの動作ができ、一層安全に手摺り８を使用することができる。
【００４０】
また、本実施形態１に係る手摺り８は、第１〜第３手摺り部材９〜１１を一体的に接続したものであるので、第２手摺り部材１０のみを共通部材とし、第１又は第３手摺り部材９，１１の長さを変更することで、それぞれの使用状況に合わせて、床面１の上段２又は下段３に応じて水平な部分の長さを調節することができるとともに、施工現場への配送等を行い易くすることができる。
【００４１】
（実施形態２）
図５は本発明の実施形態２を示し（尚、以下の各実施形態では、図１〜図４と同じ部分については同じ符号を付してその詳細な説明は省略する）、手摺り８を一体形成したものである。
【００４２】
すなわち、この実施形態に係る手摺り８は、上記実施形態１のように第１〜第３手摺り部材９〜１１に分割されておらず、第１及び第２手摺り部材９，１０にそれぞれ相当するものが、予め接続後の形状に成形により一体に形成されている。尚、第３手摺り部材１１に相当するものは設けられていない。
【００４３】
また、第２手摺り部材１０に相当するものは略Ｓ字状に湾曲しておらず、その下端部は斜めに延びた直棒状のものとされている。そして、手摺り８は水平部１３と、この水平部１３の下段側端部１３ａに連続する傾斜部１４とからなり、水平部１３は、その下段側端部１３ａが床面１における上段２の段差側端部２ａに対応する位置（段差側端部２ａの真上位置）よりも所定距離Ｘだけ下段３側にずれて位置するように、上段２から下段３に亘る範囲の床面１に対応して水平又は略水平に取り付けられている。また、傾斜部１４は、下段３の床面１に向かって下がるように傾斜して取り付けられている。その他の構成は上記実施形態１と同じである。
【００４４】
したがって、この実施形態でも実施形態１と同様の作用効果を奏することができる。また、手摺り８が予め接続後の形状に一体に成形されたものであるので、連結金具２１は不要となり、実施形態１のように、段差部４の上り下りの際に掴む部分付近に、連結金具２１や、その連結金具２１付近で各手摺り部材９〜１１を確実に壁面６に固定するために取り付けられるブラケット２３が位置することはなく、より使用し易いものとなる。
【００４５】
（実施形態３）
図６は実施形態３を示し、上記実施形態１，２とは異なり、上段２及び下段３の間に中段を有する床面１上の手摺り８の取付構造に適用したものである。
【００４６】
すなわち、この実施形態では、床面１に、水平な上段２と、この上段２よりも所定の高さｈ１（例えばｈ１＝１５ｃｍ）だけ低い水平な中段５と、この中段５よりもさらに所定の高さｈ２（例えばｈ２＝１５ｃｍ）だけ低い水平な下段３とが形成されており、上段２及び中段５は上下鉛直面からなる上段側段差部４ａを介して、また中段５及び下段３は同様の下段側段差部４ｂを介してそれぞれ連続している。すなわち、上段２及び下段３は２つの段差部４ａ，４ｂを介して連続している。尚、中段５の幅（上段２及び下段３に沿う方向の長さ）は例えば４５ｃｍである。
【００４７】
そして、この実施形態に係る手摺り８は、上記実施形態１のものと同様に、直列に接続された第１〜第３手摺り部材９〜１１で構成されていて、上側水平部１３、傾斜部１４及び下側水平部１５からなり、上側水平部１３は、その下段側端部１３ａが上記床面１における上段２の段差側端部２ａ（上段側段差部４ａ）に対応する位置（段差側端部２ａの真上位置）よりも所定距離Ｘだけ下段３側にずれて中段５の幅方向中間部の真上位置に位置するように、上段２から中段５に亘る範囲の床面１に対応して水平又は略水平に取り付けられている。この上側水平部１３の下段側端部１３ａが、床面１における上段２の段差側端部２ａに対応する位置（段差側端部２ａの真上位置）から下段３側にずれた距離Ｘは、上記実施形態１の場合と同様に、上段２の段差側端部２ａ上に下段３側に向かって立った人（使用者Ｍ）が手Ｍ１を下段３側に伸ばして手摺り８を掴んだときに該手Ｍ１が5上側水平部１３の一端部を掴に得るように、１０ｃｍ以上でかつ２０ｃｍ以下とされている（図示例ではＸ＝１５ｃｍ）。
【００４８】
また、傾斜部１４は、下段３の床面１に向かって下がるように床面１（上段２、中段５及び下段３）に対し傾斜して取り付けられている。さらに、下側水平部１５は、下段３の床面１に対応して水平又は略水平に取り付けられている。
【００４９】
その他の構成は実施形態１と同様であり、この実施形態においても、中段５を有する床面１上に手摺り８を取り付ける構造に対し、実施形態１と同様の作用効果を奏することができる。
【００５０】
（その他の実施形態）
上記各実施形態では、手摺り８（手摺り部材９〜１１）として、断面円形状のもの（図２（ｃ）参照）を用いているが、これに限定されず、その他の断面形状のものを使用することができる。例えば、図７に示すように、床面１の段差部４，４ａ，４ｂの上り下りの際に指先をかけ易くするための凸状部を設けたもの等であってもよい。この手摺り８は、平らな上面部８ａと、この上面部８ａの左右両端に滑らかに連続する左右１対の指掛け凸部８ｂ，８ｂと、この各指掛け凸部８ｂの下端に位置し、握ったときに指の第１関節よりも先端部が収まる左右１対の指先凹部８ｃと、これらの指先凹部８ｃ，８ｃ同士を接続する１つの半径の円弧面からなる下部８ｄとを備えていて、横断面形状が左右対称の形状のものである。
【００５１】
また、上記実施形態では、床面１の段差部４，４ａ，４ｂが上下鉛直面からなっているが、本発明は、段差部が傾斜している床面に対しても適用することができる。
【００５２】
また、上記実施形態では、玄関の床面１上方に手摺り８を取り付ける場合を示しているが、本発明は、玄関だけに限らず、床面に段差部が生じていて上り下りの補助のために手摺りが必要となる場所に対しても適用することができる。
【産業上の利用可能性】
【００５３】
本発明は、段差が生じて上り下りの補助のために手摺りが必要となる場所において、使用者が手摺りの水平部を握った状態で床面の段差部を上り下りできるという有効な効果があり、極めて有用で産業上の利用可能性が高い。
【図面の簡単な説明】
【００５４】
【図１】図１は、本発明の実施形態１に係る手摺りの取付構造を示す正面図である。
【図２】図２は第２手摺り部材を示し、図２（ａ）は正面図、図２（ｂ）は平面図、図２（ｃ）は拡大断面図である。
【図３】図３は、使用者が手摺りを握って床面の段差部を上り下りするときの様子を示す図である。
【図４】図４は、床面の段差部の高さが低い場合に使用される第２手摺り部材の正面図である。
【図５】図５は、実施形態２に係る手摺りの取付構造を示す図１相当図である。
【図６】図６は、実施形態３に係る手摺りの取付構造を示す図１相当図である。
【図７】図７は、手摺りの変形例を示す拡大断面図である。
【図８】図８は、従来の手摺りの取付構造を示す正面図である。
【符号の説明】
【００５５】
１  床面
２  上段
２ａ  段差側端部
３  下段
４，４ａ，４ｂ  段差部
５  中段
８  手摺り
１３  上側水平部（水平部）
１３ａ  下段側端部（一端部）
Ｘ  所定距離
１４  傾斜部
Ｍ  使用者
Ｍ１  手
【図１】
2010196329.tif 000003
【図２】
2010196329.tif 000004
【図３】
2010196329.tif 000005
【図４】
2010196329.tif 000006
【図５】
2010196329.tif 000007
【図６】
2010196329.tif 000008
【図７】
2010196329.tif 000009
【図８】
2010196329.tif 000010